(57)【特許請求の範囲】
【請求項１】
時計あるいはジュエリーのための圧着機構であって、この圧着機構が、
圧着支持部と、
圧着支持部内にあるいは圧着支持部上に取付けられた貴石と、
時計あるいはジュエリーアイテムの動きに追従して、圧着支持部が対称軸線に対して軸方向におよび／または半径方向に周期振動することができるように、前記時計あるいはジュエリーアイテムに対して圧着支持部を可撓に連結するようにして圧着支持部に固定された可撓要素を備えており、
圧着機構がさらに可撓要素よりも剛性がある停止体を備えており、
可撓要素が時計あるいはジュエリーアイテムに対して動く際に、圧着支持部の軸方向および／または半径方向の動きの範囲を制限するようにして、停止体が圧着支持部と協働することができ、
可撓要素がその静止位置にあるか或いは停止体が一定の閾値以下の衝撃を受けるだけの場合に、停止体が圧着支持部に接触しないこと、
圧着支持部が、圧着支持部から遠位方向に延びる楔状体を備え、その少なくとも一部が停止体と協働すること、そして
可撓要素が楔状体に固定されており、かつ圧着支持部と時計あるいはジュエリーアイテムの間で軸方向に延びていること、
楔状体の上記部分が空洞部を備えており、停止体が空洞部の壁と協働することを特徴とする圧着機構。
【請求項２】
停止体が可撓要素の長さの少なくとも一部上で軸方向にも延びている棒体を備えており、その一方の端部が空洞部の壁と協働することを特徴とする請求項１に記載の圧着機構。
【請求項３】
停止体が時計あるいはジュエリーアイテムに対して動くと、圧着支持部の半径方向の動きの振幅と軸方向の動きの振幅を制限するように、停止体が圧着支持部と協働することを特徴とする請求項１に記載の圧着機構。
【請求項４】
可撓要素が管の形状を有する円筒バネを備えていること、そして
停止体が収容されていることを特徴とする請求項１に記載の圧着機構。
【請求項５】
遠位の固定要素が第一の支持要素を備え、この支持要素上で可撓要素が固定されており、第一の支持要素が第一の開口部を備えていること、そして
第二の遠位の要素が、第一の支持要素に対してほぼ平行な様式で半径方向に延びており、かつ停止体として使用される第二の壁を有する第二の開口部を備えていることを特徴とする請求項１に記載の圧着機構。
【請求項６】
楔状部の前記部分が、第二の開口部内でほぼ同心に延びている遠位のヘッドを備えていることを特徴とする請求項５に記載の圧着機構。
【請求項７】
さらに、第一の支持要素と第二の支持要素の間に可撓要素を備えており、かつ第一および第二の開口部と同心な可撓な開口部を備えていること、そして
遠位のヘッドが遠位方向に減少する直径を有し、
時計あるいはジュエリーアイテムに対して反対の方向に、圧着支持部の軸方向の変位を制限するために、遠位のヘッドが可撓要素にぶつかって停止できるように、遠位のヘッドの最大直径が、可撓な開口部の直径よりも大きいことを特徴とする請求項６に記載の圧着機構。
【請求項８】
楔状部の前記部分が、第一の開口部に対してほぼ同心に延びており、かつ第一の壁と協働している遠位のヘッドを備えていることを特徴とする請求項７に記載の圧着機構。
【請求項９】
圧着支持部の軸方向の動きを制限するために、停止体がさらに楔状体と協働することができる軸方向の停止要素を備えていることを特徴とする請求項７に記載の圧着機構。
【請求項１０】
遠位のヘッドが玉継手の様式で第二の開口部の壁と協働すること、
板バネが遠位のヘッドと圧着支持部の間の軸方向位置で楔状体と協働し、従って楔状体と圧着支持部が、遠位のヘッドの周囲で対称軸線に対して周期振動することができることを特徴とする請求項６に記載の圧着機構。
【請求項１１】
第一の壁が軸方向位置と圧着支持部の間で楔状部と協働することを特徴とする請求項８に記載の圧着機構。
【請求項１２】
宝石が圧着支持部に取付けられている場合に、可撓要素（５）と停止体が、時計あるいはジュエリーアイテムの着用者によって気づかれないように構成されていることを特徴とする請求項１に記載の圧着機構。
【請求項１３】
圧着機構を備えた時計の文字盤であって、
この圧着機構が、
圧着支持部と、
圧着支持部内にあるいは圧着支持部上に取付けられた貴石と、
時計あるいはジュエリーアイテムの動きに追従して、圧着支持部が対称軸線に対して軸方向におよび／または半径方向に周期振動することができるように、前記時計あるいはジュエリーアイテムに対して圧着支持部を可撓に連結するようにして圧着支持部に固定された可撓要素を備えており、
圧着機構がさらに可撓要素よりも剛性がある停止体を備えており、
可撓要素が時計あるいはジュエリーアイテムに対して動く際に、圧着支持部の軸方向および／または半径方向の動きの範囲を制限するようにして、停止体が圧着支持部と協働することができ、
可撓要素がその静止位置にあるか或いは停止体が一定の閾値以下の衝撃を受けるだけの場合に、停止体が圧着支持部に接触しないこと、
圧着支持部が、圧着支持部から遠位方向に延びる楔状体を備え、その少なくとも一部が停止体と協働すること、そして
可撓要素が楔状体に固定されており、かつ圧着支持部と時計あるいはジュエリーアイテムの間で軸方向に延びていること、
楔状体の上記部分が空洞部を備えており、停止体が空洞部の壁と協働することを特徴とする時計の文字盤。
【請求項１４】
圧着機構を備えた時計あるいはジュエリーアイテムであって、
この圧着機構が、
圧着支持部と、
圧着支持部内にあるいは圧着支持部上に取付けられた貴石と、
時計あるいはジュエリーアイテムの動きに追従して、圧着支持部が対称軸線に対して軸方向におよび／または半径方向に周期振動することができるように、前記時計あるいはジュエリーアイテムに対して圧着支持部を可撓に連結するようにして圧着支持部に固定された可撓要素を備えており、
圧着機構がさらに可撓要素よりも剛性がある停止体を備えており、
可撓要素が時計あるいはジュエリーアイテムに対して動く際に、圧着支持部の軸方向および／または半径方向の動きの範囲を制限するようにして、停止体が圧着支持部と協働することができ、
可撓要素がその静止位置にあるか或いは停止体が一定の閾値以下の衝撃を受けるだけの場合に、停止体が圧着支持部に接触しないこと、
圧着支持部が、圧着支持部から遠位方向に延びる楔状体を備え、その少なくとも一部が停止体と協働すること、そして
可撓要素が楔状体に固定されており、かつ圧着支持部と時計あるいはジュエリーアイテムの間で軸方向に延びていること、
楔状体の上記部分が空洞部を備えており、停止体が空洞部の壁と協働することを特徴とする時計あるいはジュエリーアイテム。
【発明の詳細な説明】
【技術分野】
【０００１】
本発明は、時計あるいはジュエリーアイテムアイテムのための圧着機構に関し、貴石は宝石の振動の可視効果を与えるように取付けられている。さらに本発明は、このような圧着機構を備えた、時計の文字盤および時計あるいはジュエリーアイテムにも関する。
【背景技術】
【０００２】
特許文献１において、ジュエリーアイテムは光源により照らされているダイヤモンドを備えている。制御手段は、光源により出射される光の強度を変化させるように光源を制御する。しかし最上級ランクの時計あるいはジュエリーアイテムにおいて電子装置を使用することは望ましくないことが多い。
【０００３】
特許文献２は、プラスチックあるいはエラストマーのピボット要素に取付けられた嵌め込み台に固定された宝石を備えたジュエリーアイテムを記載している。宝石の嵌め込み台ユニットは動くことができるが、ピボット要素上でのその動きは宝石の振動の視覚効果を与えない。
【０００４】
特許文献３には、円盤形状の嵌め込み台に固定された宝石を備えたジュエリーアイテムが記載されており、この嵌め込み台は円筒バネによりジュエリーアイテムの基部に接続されている。バネに取付けられた宝石の振動により光の屈折効果がもたらされる。しかし、嵌め込み台や基部に対してバネの両端を固定することは困難でありかつ細心の注意を要する。小さなサイズの宝石の場合に必要とされる小さいバネの場合に、宝石がその初期位置に対して動くと、バネは過度に変形する恐れがあり、宝石の振動運動に悪い方に作用し、従ってジュエリーアイテムの美的側面にも悪い方に作用する。さらに、所望の視覚的効果を得るためのバネの採寸によりジュエリーアイテムは壊れやすくなり、バネは衝撃により元に戻らないほど変形されるようになる恐れがある。
【０００５】
特許文献４には、中空領域を有するリング状の支持部を備えたジュエリーアイテムが記載されており、このジュエリーアイテムにおいて嵌め込み台はバネあるいは皿バネを使用して取付けられている。バネの両端部は嵌め込み台において各々支持部に作られた溝内で固定されており、嵌め込み台は支持部上での外部の刺激の作用により周期振動させられる。一実施形態によれば、ピンが嵌め込み台の上側を通って取付けられており、ピンの両端は各々、バネの平面に対して平行な平面内で出収容されている（バネは嵌め込み台の下部に固定されている）。ピンは嵌め込み台と支持部を衝撃がかなりの場合に分離することを阻止する。この文献によれば、この構造により、嵌め込み台の下部は、バネの平面内でピンに対して垂直な方向に振動することができるだけであり、嵌め込み台の上部は支持部と効果的に一体化されたままである。
【０００６】
このようなジュエリーアイテムは、嵌め込み台から誤って分離しおよび／またバネのためにかなりの衝撃に追従して変形する可能性は低いが、嵌め込み台の周期振動は、著しく周期振動を連続的に吸収するピンによりあまりにも制限される従ってこのことは、ジュエリーアイテムの所望の視覚効果あるいは宝石の振動または動きさえも否定する。さらに、宝石が嵌め込み台に取付けられたその後も、バネとピンはジュエリーアイテムの着用者には完全に見えたままであり、これはジュエリーアイテムの美的側面をかなり傷つける。
【先行技術文献】
【特許文献】
【０００７】
【特許文献１】米国特許第６４３３４８３号明細書
【特許文献２】欧州特許第２５１０８２４号明細書
【特許文献３】ロシア連邦実用新案第１００３６７号明細書
【特許文献４】国際特許出願公開第２０１２／１１５４５８号明細書
【発明の概要】
【発明が解決しようとする課題】
【０００８】
本発明の一つの課題は、周知技術の制限から解放された時計あるいはジュエリーアイテムのための圧着機構を提案することである。
【０００９】
本発明のもう一つの課題は、既知の機構と比較して宝石のはるかに容易でかつより信頼性の有る取付けを可能にし、かつ小さい寸法の宝石の使用に適した圧着機構を得ることである。
【課題を解決するための手段】
【００１０】
本発明によれば、この課題は、時計あるいはジュエリーアイテムのための圧着機構であって、この圧着機構は、圧着支持部と、圧着支持部内にあるいは圧着支持部上に取付けられた貴石と、ジュエリーアイテムの動きに追従して、圧着支持部が対称軸線に対して軸方向におよび／または半径方向に周期振動することができるように、前記ジュエリーアイテムに対して圧着支持部を可撓に連結するようにして圧着支持部に固定された可撓要素を備えている圧着機構により明白に達せられる。圧着機構はさらに可撓要素よりも剛性がある停止体を備えており、可撓要素は動く際に、圧着支持部の軸方向および／または半径方向の動きの範囲を制限するようにして、停止体は圧着支持部と協働することができる。
【００１１】
特別な実施形態と変形の態様は従属請求項に記載されている。
【００１２】
本発明は、前記圧着機構を備えた時計の文字盤にも、時計あるいはジュエリーアイテムにも関する。
【００１３】
本発明の実施形態の例は、添付した図で図示された説明において示されている。
【図面の簡単な説明】
【００１４】
【図１】一実施形態による時計あるいはジュエリーアイテムのための圧着支持部を備えた圧着機構の横断面図を示す。
【図２】一実施形態による時計あるいはジュエリーアイテムのための圧着支持部を備えた圧着機構の横断面図を示す。
【図３ａ】別の実施形態による圧着機構を示す。
【図３ｂ】別の実施形態による圧着機構を示す。
【図４】別の実施形態による圧着機構の横断面図を示す。
【図５】別の実施形態による圧着機構の分解図を示す。
【図６】別の実施形態による圧着支持部を示す。
【図７】別の実施形態による圧着支持部を示す。
【図８】別の実施形態による圧着機構の分解断面図を示す。
【図９】圧着支持部が周期振動している、図８の圧着機構を示す。
【図１０】さらに別の実施形態による圧着機構の横断面図を示す。
【図１１ａ】圧着機構の可撓要素の異なる輪郭形状を示す。
【図１１ｂ】一実施形態による、可撓要素に作られた開口部の詳細を示す。
【図１２】圧着機構の別の実施形態に対応する、複数の圧着機構を備えたユニットの横断面図を示す。
【発明を実施するための形態】
【００１５】
図１および２は、一実施形態による時計あるいはジュエリーアイテムのための圧着機構１の横断面図を示す。圧着機構１は圧着支持部３あるいは嵌め込み部を備えており、この圧着支持部には、ダイヤモンド、ルビー、サファイヤもしくはエメラルドといった貴石２が取付けられている。ここで、“貴石”という表現が、少なくとも一つの貴石２を意味しており、支持部３が複数の貴石２を支持できることが理解されるだろう。図１と２の例において、圧着支持部３は円錐台の形状の前部９を備え、かつ宝石２の下部８のための座部として使用される。前部９の側面７の傾斜面は、下部８が保持されることを保証するように配置されている。支持部３は支持部３と同軸の孔１６を備えていてもよい。
【００１６】
圧着機構１は可撓要素５も備えており、その第一の端部１３は圧着支持部３に固定されており、他方の端部１７は時計またはジュエリーアイテム６に固定されている。この配置において、可撓要素５は宝石２を有する圧着支持部３を時計またはジュエリーアイテム６と弾性的に接続するので、宝石２は時計またはジュエリーアイテム６の動きに追従している可撓要素５上で周期振動あるいは振動することができる（言い換えれば、圧着支持部および宝石は、時計またはジュエリーアイテム６の動きに追従している可撓要素５上で周期振動あるいは振動することができる）。例えば、圧着機構１を備えた時計あるいはジュエリーアイテム６の衝撃もしくは突然の動きの間、時計あるいはジュエリーアイテム６に取付けられた可撓要素５の端部１７は（時計あるいはジュエリーアイテムに対して）固定されたままであるが、可撓要素５の残り部分は宝石２と圧着支持部３の質量の加速の影響により弾性的により変形する。可撓要素５の剛性、宝石２および圧着支持部３の質量も、衝撃の強度も、宝石２の振動（あるいは周期振動）の振幅を規定している主たる要因である。このような配置において、宝石２の周期振動は、対称軸線１５に対する半径方向の動きとこの同じ軸線１５に対する軸方向の動きに従って生じる。しかし、軸線１５に沿った軸方向の動きの振幅が、この同じ軸線に沿った半径方向の動きと比べて小さいことは留意されるだろう。
【００１７】
さらに圧着機構１は、後者の周期振動の際に、宝石２の軸方向および／または半径方向の動きの振幅を制限するために（言い換えれば、圧着支持部の、従って圧着支持部３に取付けられた宝石の軸方向および／または半径方向の動きの振幅を制限するために）可撓要素５よりもさらに剛性がありかつ圧着支持部３と協働するように配置された停止体１８を備えている。その材料とその厚さに依存して、停止体は剛性が有ってもよいかあるいは停止体はわずかに弾性的であってもよい。言い換えれば、停止体は可撓要素５の第一の剛性Ｋ１よりも高い第二の剛性Ｋ２を有する。
【００１８】
現記載において、“近位の”という表現は、宝石２に近い側を意味し、“遠位の”という表現は宝石２からさらに離れた側を意味する。“半径方向の”という表現は、対称軸線１５に対して垂直な平面に相当する。例えば、半径方向の動きは、対称軸線１５に対する、従って図１および２における左または右に向かう横方向の変位に相当する。“軸方向の”という表現は、対称軸線１５に対して平行な平面に相当する。例えば、軸方向の動きは、対称軸線１５に沿って方向づけられた、従って図１および２における上から下までの変位に相当する。
【００１９】
図１および２に図示された特別な実施形態において、可撓要素は管の形状を有する円筒コイルバネ５を備えている。圧着支持部３は、締付けることにより楔状部（留め部）３０を可撓要素５に固定するために、圧着支持部３と一体化されかつ少なくとも一部が円筒コイルバネ５の第一の端部１３内に収容される楔状部３０を備えている。円筒コイルバネ５の第二の端部１７は、締付け、押込み、クリッピングあるいは溶接を含む方法、もしくは他の何れかの方法の少なくとも一つにより時計あるいはジュエリーアイテム６の中に固定される。停止体は円筒コイルバネ５内で同心状に収容された棒体１８の形状を呈する。棒体１８は円筒バネ５の長さの少なくとも一部にわたり、好ましくはこの円筒バネの長さのほぼ全長にわたり延在する。（圧着支持部３に取付けられた）宝石２が周期振動させられると、棒体１８の近位の端部２０は、反対の停止体として使用される圧着支持部３と協働する。円筒バネ５の第二の端部１７は、ピン１４により時計あるいはジュエリーアイテム６に固定される。ピン１４は例えば押込みあるいはネジ込みにより時計あるいはジュエリーアイテム６に固定され、円筒バネ５の第二の端部１７は例えば締付けによりピン１４に固定される。棒体１８の遠位の端部は、ピン１４内の孔を通過して、押込み、締付けあるいはクリッピングなどの適切な方法により土台６に固定される。
【００２０】
圧着支持部３、この場合楔状部３０は、凹部１９を備え、この凹部内に棒体１８の近位の端部２０が延在する。図２に示されるように、宝石２が周期振動している間、宝石２の半径方向の動きの振幅は、凹部１９の内壁２１にぶつかって停止している棒体１８の近位の端部２０により制限されている。
【００２１】
圧着支持部がその静止位置にあるか或いは圧着支持部が一定の閾値未満で振動を受けているだけであると、棒体１８は圧着支持部３と接触しないのが有利である。所定の可撓要素５のための適切な方法で凹部の寸法と棒体の寸法を選定することにより、衝撃が閾値を上回っており、この閾値で可撓要素５の永久歪みが発生する恐れがある場合に、棒体１８が内壁２１にぶつかって停止することを確実にすることが可能である。従って、宝石２を支持している圧着支持部３は、圧着機構に損傷を与える危険が無い限り自由に周期振動するかあるいは振動することができる。
【００２２】
図１および２の実施形態において、円筒バネ５は、一般的にその長さの一部分に、例えば円筒バネ５の中央部に少なくとも一つの突出部を備えている。円筒バネ５は円筒バネ５の二つの端部１３，１７の付近に突出部を備えていてもよく、かつ二つの端部１３，１７の間の部分で突出する。二つの端部１３，１７の付近の突出部は、二つの端部１３，１７の間に位置づけられた円筒バネ５の部分に構成されている突出部に比べてはるかに大きな高さを有していてもよい。円筒バネ５はレーザー切断法あるいは他の何れかの適切な方法を使用した金属あるいはプラスチックでできていてもよい。
【００２３】
図３に図示された実施形態によれば、円筒バネ５の第一の端部１３は、切開き部分１２あるいは弾性スリットを備えており、これにより楔状部３０の押込む力の少なくとも一部は、弾性および／または塑性変形により半径方向に吸収されることができる。このような切開き部分１２は、例えば円筒バネ５がピン１４に押込まれる場合に、押込みを容易にするために、円筒バネ５の第二の端部１７のあたりに設けられていてもよい。
【００２４】
他の実施形態によれば、圧着機構の同じ一つの停止要素は、圧着支持部３の半径方向の動きの振幅と軸方向の動きの振幅を制限するために、圧着支持部と協働することができてもよい。
【００２５】
図８と９に図示された別の実施形態によれば、内壁２１は半径方向に変形可能なフィン１９１を備えている。楔状体３０の遠位端部で、フィン１９１は開口部１９０を形成している。一方、棒体１８は遠位方向で減少する直径を有する近位のヘッド３５を備えている。近位のヘッド３５の最大直径３６は、空洞部１９の直径１９０よりも小さいが、遠位の開口部１９０の直径よりも大きい。従って、近位のヘッド３５は、遠位の開口部１９０からフィン１９１の変形を介して空洞部１９に挿入されることができる。近位のヘッド３５が空洞部１９に挿入されると、圧着支持部３が閾値を超える衝撃を受ける際に、近位のヘッドはフィン１９１にぶつかって停止する。従って、この配列において、圧着支持部３の半径方向の変位は、近位のヘッド３５にぶつかって停止する半径方向のフィン１９１により制限されている。同時に、圧着支持部３の半径方向の変位は、フィン１９１の遠位の端部によっても制限されており、これらのフィンは一般的に“Ｌ”の形状で近位のヘッド３５にぶつかって停止する。
【００２６】
図８と９に図示された構成において、近位のヘッド３５と棒体１８はピン１４と一体に形成されている。棒体１８は遠位方向に減少する近位のヘッド３５の直径に対応している凹形状を有する。
【００２７】
近位のヘッド３５とフィン１９１は、近位のヘッド３５が空洞部１９内に挿入されると、（図９の番号１５１で示された）近位のヘッド３５上の圧着支持部３の回転軸線ができるだけ低いように所定の大きさに作られることができる。図９において、この回転軸線１５１は円筒バネ５の全高Ｈの約１／３で示されている。言い換えると、遠位の開口部１９０と円筒バネ５の長さの間の間隔ｈの比は約１／３である。円筒バネ５の全高Ｈと比べた間隔ｈの比は約１／４かあるいはそれ以下であるのが好ましい。
【００２８】
図１０に図示されたさらに別の実施形態において、楔状部３０は圧着支持部３から遠位方向へ延びておりかつその遠位の端部に遠位のヘッド３２を備えている。円筒バネ５の遠位の端部１７は、遠位の固定要素により時計またはジュエリーアイテム６に固定されており、この固定要素は円筒バネ５の遠位の端部１７から半径方向に延びている第一の支持要素２２を備えている。遠位の固定要素は、第一の支持要素２２に対していわばほぼ平行に半径方向に延びている第二の支持要素２４も備えている。第二の支持要素２４は、第二の開口部２４０を備え、この開口部内で遠位のヘッド４３はほぼ同心状に延びている。この構成において、圧着支持部３が前記一定の閾値を超えた衝撃を受けると、楔状部の遠位のヘッド３２は第二の開口部２４０の第二の壁２４１にぶつかって停止する。言い換えれば、第二の壁２４１は停止部として使用される。
【００２９】
好ましい構成において、可撓要素６４は、第一の支持要素２２と第二の支持要素２４の間に挟まれている。可撓要素６４は、第一の開口部２２０および第二の開口部２４０と同心状である可撓開口部６３を備えている。図１１ａは圧着機構１の分解図を示しており、第一の支持要素２２、可撓要素６４および第二の支持要素２４は、個々に視覚可能である。図１１ｂは可撓開口部６３が呈することができる四つ葉形状の実例を示す。遠位のヘッド３２は遠位方向に減少する直径を有し、その最も広い直径３３は、（図１１ｂの破線６５で示された）可撓開口部６３の直径よりも大きい。
【００３０】
この構成において、円筒バネ５の遠位の端部１７は、第一の支持要素２２においては剛体様式で嵌め込まれるように配置されることができる。遠位のヘッド３２は可撓開口部６３を通過して、第二の開口部２４０内に収容される。可撓開口部６３の可撓性により、遠位のヘッド３２はその直径３３にも拘わらず通過し、この直径は可撓開口部６３の直径６５よりも大きい。上方へ向かう圧着支持部３の軸方向の変位は、遠位のヘッド３２の平坦部分３９により制限されており、この遠位のヘッドは、可撓要素６４にぶつかって（図１１ｂに図示された可撓開口部６５の葉の間の部分６４１にぶつかって）停止する。第二の開口部２４０は同心のハウジング２４３を備えており、このハウジングは前記ハウジング２４３内の可撓要素６４の一定の軸方向の変位を可能にする。圧着支持部３の下方への軸方向の変位は、円筒バネ５の突出部の圧縮により制限される。
【００３１】
図１１ａと１１ｂに図示された変形的実施形態において、第一の支持要素２２の開口部２２０は、遠位のヘッド３２の最大直径３３よりも小さい直径を有するフランジ２２２を備えている。第一の支持要素２２は、フランジ２２２を通って第一の開口部２２０に挿入されるべき遠位のヘッド３２にとっては十分可撓であり得る。遠位のヘッド３２が開口部２２０を通過したら、圧着支持部３の上方への軸方向の変位は、フランジ２２２にぶつかって停止する平坦部分３９により制限される。図１１ａは第一の開口部２２０とフランジ２２２のための異なる可能な構成を示す。図１１ｂは四つ葉の形状を有する開口部２２０の詳細を示し、葉の間の部分２２２はフランジの役割を果たす。
【００３２】
他の実施形態において、可撓要素は圧着支持部３から半径方向に延びている平坦状のバネ５０を備えている。図４と５に図示された例において、可撓要素は複数の平坦状のバネ５０を有するストリップ５１を備えており、各平坦状のバネ５０は（図５に示されている唯一の）圧着支持部３に固定されている。ストリップ５１は半径方向に延びている第一の剛性の支持要素２２に取付けられており、一般的にネジとナット２２４を含む固定要素を介して時計あるいはジュエリーアイテム６に固定されることができる。
【００３３】
平坦状のバネ５０は各々、ゼンマイバネあるいは例えばエラストマーの可撓性膜の形状をとることができる。平坦状のバネ５０は、螺旋状のバネ、例えば円錐形のコイルバネを備えていてもよい。平坦状のバネ５０により、圧着支持部３、従って宝石２は時計あるいはジュエリーアイテム６の動きに追従するバネ５０の変形により半径方向および軸方向に周期振動あるいは振動することができる。
【００３４】
一実施形態において、宝石２の半径方向の動きは、半径方向に延びる停止要素にぶつかって停止する圧着支持部３により制限されている。特に、圧着機構１は第一の支持要素２２の上方で半径方向に延びている第二の支持要素２４を備えている。第二の支持要素２４は、図５に図示されたようなネジ２２３を介して第一の支持要素２２に固定されることができる。第二の支持要素２４は、複数の開口部２４０を備えており、開口部２４０は各々、圧着支持部３の一つに対して軸方向に揃えられている。この構成において、宝石２の半径方向の周期振動の振幅は、開口部２４０の側壁にぶつかって停止する圧着支持部３により制限されている。
【００３５】
図４に図示された有利な変形的実施形態において、開口部２４０の壁は、（その圧着支持部３に取付けられた）宝石２が周期振動する際に、圧着支持部３の傾斜した面３１が第一の面取り部２４１に載るように、第二の支持要素２４の面の一つに設けられた第一の面取り部２４１を備えている。
【００３６】
図４に図示された他の変形的実施形態において、圧着支持部３は、通常、圧着支持部３から半径方向に延びておりかつ傾斜した面３４０を備えている円盤またはコブの形状の近位の要素３４を備えている。近位の要素３４は、傾斜した面３４０が宝石２の半径方向の動きを制限するように開口部２４０の壁にぶつかるように構成されている。図４に示されたように、壁は第二の支持要素２４の反対側の面取り部２４２を備えており、従って傾斜した面３４０は第二の面取り部２４２にぶつかって停止する。
【００３７】
図６に図示されたさらにもう一つの実施形態において、圧着支持部３は、第一の支持要素２２において遠位方向に延びている楔状部３０を備えている。この構成において、宝石２の半径方向の動きは、半径方向の停止要素にぶつかって停止する圧着支持部３の楔状部３０により制限されている。特に第一の支持要素２２は、圧着支持部３と同心でかつ可撓要素５０の下方で軸方向に延びる開口部２２０を備えている。可撓要素５０は宝石２の周期振動中に、楔状部３０が宝石２と反対に周期振動するように圧着支持部３に固定されることができる。このような構成において、宝石２の周期振動中に、楔状部３０は開口部２２０の壁２２１にぶつかって停止し、宝石２の半径方向の動きを制限している。従って壁２２１は半径方向の停止要素を構成する。
【００３８】
変形的実施形態において、楔状部３０は楔状部３０の遠位部分から半径方向に延びている円盤あるいはこぶの形状の遠位の要素３２を備えている。宝石２が周期振動すると、宝石の半径方向の動きは開口部２２０の壁２２１にぶつかって停止する遠位の円盤３２により制限されている。遠位の円盤３２は圧着支持部３の単一片としてあるいは圧着支持部３の楔状部３０に後で固定される個別の部品として作られてもよい。
【００３９】
別の実施形態において、圧着機構１は、半径方向に延びておりかつ対称軸線１５で中心出しされた軸方向延びる停止要素２３も備えている。停止要素２３は、図４に図示されたように、第一の支持要素の下方でネジ２２３を介して第一の支持要素２２に固定されている。宝石２が下方に向かって軸方向に変位している間、圧着支持部３は軸方向の停止要素２３にぶつかって停止し、かつ宝石２の軸方向の動きの振幅を制限する。圧着支持部３が楔状部３０を備えている場合、軸方向の停止要素２３にぶつかって停止するのは楔状部である。
【００４０】
図７に図示されたさらにもう一つの実施形態において、圧着支持部３の楔状部３０は第一の支持要素２２を越えて遠位方向に延びており、従って遠位の円盤３２はそれ自体第一の支持要素２２の下方にあることがわかる。この構成において、遠位の円盤３２は、宝石３が上方に向かって軸方向に変位している間、（圧着支持部３に取付けられた）宝石２の軸方向の動きを制限するように、第一の支持要素２２の下側２２５にぶつかって停止する。
【００４１】
図６と７の変形的形態の別の態様によれば、円盤あるいは遠位の要素３２は不安定な機能も備えている。その理由は、その大きさとその質量により、周期振動要素（宝石２と圧着支持部）の重心が位置決めされることができ、従って重力の効果の下で、この機構を垂直位置と水平位置の面で同じ傾斜で平衡させかつ維持することができることにある。
【００４２】
図５に図示されたように、圧着機構１は複数の圧着支持部３、あるいはさらに圧着支持部３の行列を備えていてもよく、例えば代表されるべきパターンの行列も可能である。圧着機構１はもちろん単一の圧着支持部３を備えていてもよい。
【００４３】
図１２に図示されたさらにもう一つの実施形態において、遠位の固定要素は第二の支持要素２４を備えていてもよい。楔状部３０は、玉継手の様式で、ここでは第二の支持要素２４に設けられた空洞部２４０の形状の第二の開口部の壁２４１と協働するように配置された遠位のヘッド３２を備えている。平坦状のバネ５０は遠位のヘッド３２と圧着支持部３の間で軸方向位置３８の高さで楔状部３０と協働し、従って楔状部３０と圧着支持部３は、対称軸線１５に対して、遠位のヘッド３２の周囲で周期振動することができる。
【００４４】
遠位の固定要素は第一の支持要素２２も備えており、この第一の支持要素には平坦状のバネ５０が取付けられている。第一の支持要素２２は第一の開口部２２０を備えており、この開口部を通って楔状部３０が通過する。圧着支持部３が閾値を超える衝撃を受けると、楔状部３０は開口部２２０の壁２２１にぶつかり、軸方向位置３８と圧着支持部３の間で停止する。
【００４５】
平坦状のバネ５０は平坦なゼンマイバネかあるいは可撓性膜であってもよい。
【００４６】
好ましい実施形態において、圧着機構１は時計の文字盤に固定されている。圧着機構１は、時計の別の部材の上に、ジュエリーアイテム上に、あるいは眼鏡上に固定されていてもよい。
【００４７】
上記に記載された様々な変形的形態において、宝石２が圧着支持部３に取付けられると、弾性要素５と停止要素は、時計またはジュエリーアイテムの着用者によっては気づかれることはできず、時計またはジュエリーアイテムの感覚認識を決して損なうことがないことが有利である。
【符号の説明】
【００４８】
１          圧着機構
１０，１１  突出部
１２        切開き
１３        バネの第一の端部、バネの近位の端部
１４        遠位の固定要素、ピン
１５        対称軸線
１６        孔
１７        バネの第二の端部、バネの遠位の端部
１８        停止要素、棒体
１９        凹部、空洞部
１９０      凹部の直径
１９１      軸方向のフィン
１９２      遠位の直径
２          貴石
２０        停止要素の近位の端部
２１        内壁
２２        第一の支持要素
２２０      第一の開口部
２２１      半径方向の停止要素、第一の開口部の壁
２２３      ネジ
２２４      ナット
２２５      第一の支持要素の下側
２３        軸方向の停止要素
２４        第二の支持要素
２４０      第二の開口部、空洞部
２４１      第二の開口部の壁、第一の面取り部
２４２      第二の面取り部
２４３      同心のハウジング
３          圧着支持部
３０        楔状部
３１        圧着支持部の傾斜した面
３２        円盤あるいは遠位の要素、遠位のヘッド
３３        遠位のヘッドの最大直径
３４        近位の円盤
３４０      近位の円盤の傾斜した面
３５        棒体の近位のヘッド
３６        近位のヘッドの最大直径
３８        軸方向の位置
３９        平坦な部分
５          可撓要素、バネ
５０        平坦状のバネ
５１        ストリップ
６          時計あるいはジュエリーアイテム
６３        可撓な開口部
６４        可撓要素
６４１      部分
６５        可撓な開口部の直径
７          側面
８          貴石の下側
９          前部
Ｋ１        第一の剛性
Ｋ２        第二の剛性
【図１】
0006513688.tif 000002
【図２】
0006513688.tif 000003
【図３ａ】
0006513688.tif 000004
【図３ｂ】
0006513688.tif 000005
【図４】
0006513688.tif 000006
【図５】
0006513688.tif 000007
【図６】
0006513688.tif 000008
【図７】
0006513688.tif 000009
【図８】
0006513688.tif 000010
【図９】
0006513688.tif 000011
【図１０】
0006513688.tif 000012
【図１１ａ】
0006513688.tif 000013
【図１１ｂ】
0006513688.tif 000014
【図１２】
0006513688.tif 000015